(57)【要約】【課題】現在、携帯電話の普及率は１００％に近付き携帯電話会社は過当競争に突入している。また通信と放送の融合によるクロスメディア・デジタルテレビを使ったインターネットの利用は、複雑なケーブルを使ったモデムや光ファンバーでは使用者が余計な手間と費用を要するため普及する可能性が低い。【解決手段】デジタルテレビに携帯電話機能を内蔵することにより、動画などの携帯電話・インターネットのコンテンツを複雑なケーブルを使ったモデムや光ファンバーを使用することが無く利用できるため、使用者は無駄な費用と手間を省く事ができ、放送と通信の融合というクロスメディアビジネスで世界標準を確立することができる。またインターネットのコンテンツをデジタルテレビのモニターに適した仕様に変換するため新たな放送と通信の融合のクロスメディアコンテンツを作り出す事が可能になる。【選択図】図１７
2009130924.tif 000002
【特許請求の範囲】
【請求項１】
インターネットにより送受信される電子文字・電子図形・電子映像・電子音を携帯電話の基地局を経由し、モデムや光ファイバーを使わず、無線通信や次世代高速無線通信ＷｉＭＡＸ（ＲＢＯＣ・ＭＶＮＯ）、人口衛星を経由した携帯電話の衛星通信を利用しデジタルテレビに内蔵した携帯端末・携帯電話の通信機能を使い入力する入力手段と、前記入力手段により入力された指示に従い、前記電子文字・電子図形・電子映像・電子音のコンテンツデータを出力する出力手段と、前記入出力手段により入出力された前記コンテンツデータを記憶する記憶手段と、前記記憶手段により記憶されている前記コンテンツデータの入出力が指示された場合、その指示に従い、前記記憶手段から前記コンテンツデータを読み出し、コンピュータモニター、デジタルテレビに出力された映像情報を表示する情報処理装置。
【請求項２】
請求項１において、コンピュータモニター、デジタルテレビに出力される電子文字・電子図形・電子映像・電子音をアイコン化してメイン画面のサイドに表示させ、コンピュータモニター、デジタルテレビに適した仕様に変換して視聴・閲覧するプログラム。
【請求項３】
請求項１と請求項２の情報処理装置・プログラムにおいて、入出力する電子文字・電子図形・電子映像・電子音の操作手段をテレビリモコンに内蔵する慣用化した操作スイッチ並びに指紋センサーと圧力センサーを内蔵させ、指紋の接触面でマウスポイントとキーボードポインタを操作し、指の力を測定して握力を特定し、年齢を照合する情報処理装置とブレスレット状・腕時計状の機器に温度センサー・ジャイロセンサー・振動センサーを内蔵させ手首の動きと指の動きで電子画面上のマウスポインタと電子キーボード上のキーボードポインタを操作して電子文字・電子図形を入力するファジー理論をプログラムした情報処理装置。
【請求項４】
請求項１と請求項２において表示される電子文字・電子図形・電子映像・電子音をアイコン化して、ホームページをコンパクトにバナー化して表示・記憶し、インターネットの検索の指示を入力する入力手段と、前記入力手段により入力された指示に従い、前記電子文字・電子図形・電子映像・電子音のコンテンツデータを検索する検索手段と、前記検索手段により検索された前記コンテンツデータを記憶する記憶手段と、前記記憶手段により記憶されている前記コンテンツデータの検索が指示された場合、その指示に従い、前記記憶手段から前記コンテンツデータを読み出し、デジタルテレビ・パソコンなどの電子機器に出力された映像情報をデジタルテレビ・パソコンなどの電子映像に表示する情報処理装置とプログラム。
【請求項５】
請求項１において機能する機器の消費電力を抑えるため、プラスとマイナスの帯電量・率が比例する物質を混ぜて作る磁性流体、並び本発明の磁性流体をケーブルに注入し、電子と電流の負荷を軽減させる磁性流体ケーブル・磁性流体電源コード・磁性流体電源コンセント
【請求項６】
請求項４において表示される電子文字・電子図形・電子映像・電子音を特定してアクセスを制限するため、アクセス者の投票を検索バナーに数値化して表示させ、有害サイト・ハッキング・ネット詐欺などのネット犯罪を回避・抑制するプログラム。
【発明の詳細な説明】
【技術分野】
【０００１】本発明は、インターネットによって送られてくる、電子文字・電子図形・電子映像・電子音をモデムや光ファイバーを使わず携帯電話の基地局を利用し、無線通信や次世代高速無線通信ＷｉＭＡＸ（ＲＢＯＣ・ＭＶＮＯ）、人口衛星を経由した携帯電話の衛星通信を利用しデジタルテレビに内蔵した携帯端末・携帯電話の通信機能を使いインターネットを利用し、電子文字・電子図形・電子映像・電子音を閲覧・視聴・記憶するシステムである。
【背景技術】
【０００２】「携帯情報機器による地域社会活性化方法」などは考案されている。
【特許文献１】特開２００３−１６２６１１号  公報
【発明の開示】
【発明が解決しようとする課題】
【０００３】現在、携帯電話の普及率が１００％に近付き、携帯電話会社のシェア争いは激化し、また世界標準でないため、携帯電話会社の経営環境は過酷になっている。【０００４】デジタルテレビにモデムや光ファイバーを繋いでインターネットをする場合、使用者は余計な時間と費用・手間が発生するため、テレビでインターネットをするという文化が根付かない。【０００５】携帯電話によるインターネット利用は携帯特有の小さな画像により視力低下を招き、またバッテリーの限界によってインターネットを長時間、利用できない。
【課題を解決するための手段】
【０００６】請求項１に記載の情報処理装置は、インターネットにより送信される電子文字・電子図形・電子映像・電子音を携帯電話の基地局を使って送受信し、モデムや光ファイバーを使わず、無線通信や次世代高速無線通信ＷｉＭＡＸ（ＲＢＯＣ・ＭＶＮＯ）、人口衛星を経由した携帯電話の衛星通信を利用しデジタルテレビやコンピュータモニター、カーナビに内蔵された携帯電話の通信機能を使って入力する入力手段と、前記入力手段により入力された指示に従い、前記電子文字・電子図形・電子映像・電子音のコンテンツデータを記憶する記憶手段と、前記記憶手段により記憶されている前記コンテンツデータが指示された場合、その指示に従い、前記記憶手段から前記コンテンツデータを変換して読み出し、コンピュータモニター、デジタルテレビ、カーナビに出力された映像情報を表示する情報処理装置である。【０００７】請求項２に記載のプログラムは、請求項１情報処理装置において、コンピュータモニター、デジタルテレビ、カーナビに出力する電子文字・電子図形・電子映像・電子音をモニターのサイズに適した仕様に変換して視聴・閲覧・記憶するプログラムである。【０００８】請求項３に記載の情報処理装置は、請求項１と請求項２の情報処理装置・プログラムにおいて表示される電子文字・電子図形・電子映像・電子音をリモコンに内蔵し慣用化したスイッチなどでマウスポインタとキーボードポインタを移動させ視聴・閲覧・記憶する情報処理装置。【０００９】請求項４に記載の情報処理装置・プログラムは、請求項１と請求項２の情報処理装置・プログラムにおいて表示される電子文字・電子図形・電子映像・電子音をバナー（アイコン）として表示し、デジタルテレビ特有の大画面で使用者が閲覧・視聴・記憶しやすいようにインターネットの検索の指示を入力する入力手段と、前記入力手段により入力された指示に従い、前記電子文字・電子図形・電子映像・電子音のコンテンツデータを検索する検索手段と、前記検索手段により検索された前記コンテンツデータを記憶する記憶手段と、前記記憶手段により記憶されている前記コンテンツデータの検索が指示された場合、その指示に従い、前記記憶手段から前記コンテンツデータを読み出し、デジタルテレビなどの電子画面に表示する検索バナーを表示する情報処理装置とプログラム。【００１０】請求項５に記載のケーブルは請求項１において機能する機器などの消費電力を抑えるため、プラス電荷とマイナス電荷の帯電量が比例する物質を粉末化し混ぜ合わせ磁性流体を作り、ケーブルに注入し、電子と電流の衝突を抑えて負荷を軽減させる磁性流体ケーブルである。【００１１】請求項６は請求項１において表示される電子文字・電子図形・電子映像・電子音をユーザーが特定してアクセスを拒否し、投票結果を画像に数値化して表示させることによりハッキングなどのネット障害を発生させる恐れがあるコンテンツを複数のユーザーに教えて回避するプログラムである。
【発明の効果】
【００１２】上述した課題を解決し、目的を達成するため、請求項１の効果を以下説明する。【００１３】本発明により、使用者は必要としている情報をデジタルテレビに内蔵した携帯電話・モバイルの無線通信機能を使ってデジタルテレビでインターネットを快適に使用できる。【００１４】上述した課題を解決し、目的を達成するため、請求項２の効果を以下説明する。【００１５】本発明により、インターネットで送られてくる電子文字・電子図形・電子映像・電子音をデジタルテレビのモニターサイズに適した仕様で利用できるため視力低下防止に繋がり、また携帯端末のようにバッテリーの残量に関係なく電子文字・電子図形・電子映像・電子音を視聴・閲覧・記憶することができる。【００１６】上述した課題を解決し、目的を達成するため、請求項３の効果を以下説明する。【００１７】本発明により、インターネットにより送られてくる電子文字・電子図形・電子映像・電子音を使用者はコンピュータのキーボード・マウスのような複雑な入力から解放され、また操作装置の収容場所を考慮することなく、携帯端末に類似した大きさと操作方法によって、マウスポインタとキーボードポインタを移動させネットコンテンツを視聴・閲覧・記憶でき、指の力を測定することで年齢を特定し、子供が有害サイトにアクセスする行為を防止するシステム。【００１８】上述した課題を解決し、目的を達成するため、請求項４の効果を以下説明する。【００１９】本発明により、デジタルテレビ特有の大画面を活用した電子文字・電子図形・電子映像・電子音をバナーに連動して表示・記憶させて検索できるバナー検索（バナー広告検索）システム。【００２０】上述した課題を解決し、目的を達成するため、請求項５の効果を以下説明する。【００２１】本発明により、電流と電子が効率よく流れ、負荷が軽減されることにより省エネルギー効果が発生する。【００２２】上述した課題を解決し、目的を達成するため、請求項６の効果を以下説明する。【００２３】本発明により、社会問題化しているネット犯罪を多くのユーザーに教えることができ、安心・安全なネットワークを構築できる。
【発明を実施するための最良の形態】
【００２４】以下に添付図面を参照して、この発明にかかる好適な実施の形態を詳細に説明する。【００２５】図１は、請求項１に適用した通信システムの構成を示す図であり、視聴者・閲覧者が請求項１と請求項２と請求項３と請求項４と請求項５と請求項６の情報処理装置・プログラムを使いデジタルテレビなどの電子画面に表示される図２図７図９図１０図１３図１４図１９を利用してインターネットを使い、また検索し、無線通信手段（基地局を経由した通信データ）を経て、インターネットのコンテンツを視聴・閲覧・記憶する構成を示した図である。【００２６】図２は、請求項２に適用したテレビ画面に表示される表示例を示す図である。基地局を利用して送られてくるインターネットのコンテンツをテレビ特有の大画面で閲覧・視聴・記憶するため、音楽のコンテンツをアイコン２−３、文字のコンテンツをアイコン２−２、静止画のコンテンツをアイコン２−４、動画のコンテンツをアイコン２−５のように電子画面に表示し、マウスポインタ２−６を請求項３の情報処理装置で操作して各アイコンをクリックすることで、画像２−１に表示する画面である。各アイコンはマウスポインタ２−６を使い移動させることができ、音楽・静止画・文字・動画のコンテンツを選択できるようになっている。コンテンツを選択すると、ステップＳ１２において設定された登録内容を元に、コンテンツ情報の音楽は音符のアイコン２−３、文字はサイトのＴＩＴＬＥをアイコン２−２に表示、静止画は縮小してアイコン２−４に表示、動画は初めの画像を縮小してアイコン２−５に表示し、ステップＳ１５において、テレビなどの電子画面に映し出される。【００２７】図３は、請求項３に適用した各センサーを内蔵したリモコン２０の図である。指紋センサー・圧力センサー２１を視聴者・閲覧者が指で押す事により、使用者の指紋を記憶し、マウスポインタを指の動きで移動させる。また指がセンサーを押す圧力を圧力センサーで感知することで、使用者が低年齢である事を予測し有害サイトへアクセスできないようにブロックする。指紋センサー・圧力センサー２１に記憶された指紋が図５の５−２を感知した時マウスポインタは上に移動、５−３を感知した時マウスポインタは下に移動、５−４を感知した時マウスポインタは左に移動、５−５を感知した時マウスポインタは右に移動する。指紋センサー・圧力センサー２１を使用時に使用者が親指を押し付け強く握った段階で大人の平均値を著しく下回った場合、サイトをブロックしアクセスさせない。またマウスポインタは２２のスイッチを押した場合は上、２５のスイッチを押した場合は下、２７のスイッチを押した場合は左、２４のスイッチを押した場合は右に移動し、２６のスイッチを押した場合は左クリック、２３のスイッチを押した場合は右クリックの機能を示す。【００２８】図４は、請求項３に適用した各センサーを内蔵したブレスレット型のマウスの図であり、上部Ａの赤外線センサー１０で手の甲の動きを感知する。甲を上に上げると赤外線が増えた事を感知し上、甲を下に下げると赤外線が減った事を感知し下にマウスポインタを移動させる。ジャイロセンサー１１で手首の回転を認識する。手首を右に傾けるとジャイロは左に傾くため右、手首を左に傾けるとジャイロは右に傾くため左にマウスポインタを移動させる。下部Ｂの赤外線センサー１０と振動センサー１２で手首の腱の動きを感知して指の動きを認識する。それぞれの指は異なる腱と骨で結ばれているため、特定した指を動かす事で情報処理チップ１４が認識できる。また手首を回転させても、腱と骨の動くパターンは変わらないため情報処理チップ１４は特定した指の動きを赤外線センサー１０と振動センサー１２で認識する。操作スイッチ１５を押す事で、図１３のメッセージが表示され、赤外線・電波送信装置１６によりテレビ３に送信されマウスポインタ・キーボードポインタを手・手首と指の動きで操作する。【００２９】図５は、請求項３に適用した各センサーを内蔵したリモコン２０の指紋センサー２１が指紋を感知しマウスポインタを移動させる際に認識する指紋の図である。指紋センサー２１に親指を押し付けた際の指紋が５−１である。指紋センサーは５−１を記憶し、使用者が指の接触面を変える事でマウスポインタが移動する。５−２を認識すると上、５−５を認識すると右、５−３を認識すると下、５−４を認識すると左、５−２と５−５を認識すると右上、５−５と５−３を認識すると右下、５−３と５−４を認識すると左下、５−２と５−４を認識すると左上にマウスポインタが移動し、また情報処理装置に内蔵するファジー理論により各指紋の認識面に応じてマウスポインタの移動角度が決定される。【００３０】図６は、請求項３に適用した各センサーを内蔵したブレスレット型マウスの使用例の図である。手の甲３０を矢印２０１の方向に動かすと、赤外線レーザー３１に感知される。指を矢印２００の方向に動かすと、手首の腱３２が動かした指に比例して動くため、その動きを赤外センサー１０と振動センサー１２で認識し、左右・キーボードクリック動作を実行する。【００３１】図７は、請求項４に適用した画面に表示される表示例を示す図である。通信を利用して送られてくるコンテンツを検索するためキーワードを入力し、音楽・静止画・文字・動画を特定して検索する方法と音楽・静止画・文字・動画を特定せず検索する方法を備えている。３−１は動画をメインにしたコンテンツ、３−２は音楽をメインにしたコンテンツ、３−３は静止画をメインにしたコンテンツ、３−４は文字をメインにしたコンテンツである。検索すると、ステップＳ８００・Ｓ８０１を経由し、ステップＳ８０２・Ｓ８０３・Ｓ８０４・Ｓ８０５において設定された登録内容を元に、ステップＳ８０６において、電子画面に表示される。【００３２】図８は、請求項５に適用した磁性流体ケーブルの断面である。電気が流れる仕組みは、プラス極から電流が流れ、マイナス極から電子が流れているため、電線内で電流と電子の衝突が発生している。そのため絶対零度に近い温度になると電子と電流の波打つ動きが軽減され電気抵抗が減ると予測できる。この効果に近づけるため、プラスに帯電する物質とマイナスに帯電する物質の帯電量・率が比例する物質を磁性流体化することで、プラス電流・マイナス電流、プラス電子・マイナス電子を分散することで、電流と電子の衝突を軽減させ電気抵抗を減らす事が出来る。６−１はプラスに帯電するアスベスト、硝子、雲母、羊毛、ナイロン、レイヨン、鉛、絹、木綿、麻、木材、亜鉛、アセテート、アルミニウムなどであり、６−２はマイナスに帯電する、テフロン、塩化ビニール、セロファン、セルロイド、ポリエチレン、アクリル、ポリエステル、ポリプロピレン、白金、ポリスチレン、ゴム、金、ニッケル、銅、鉄、エボナイト、クロム、紙などである。【００３３】図８は、請求項５に適用した磁性流体ケーブルの作成方法は、絶縁体のケーブル内に、磁性流体のベース液である、水・イソパラフィン・アルキルナフタレン、パーフルオロポリエーテル・ポリビニルアルコールなどに６−１と６−２の帯電量・率が比例した物質を混ぜ合わせ、注入する。また不純物が侵入しないようにケーブル内を真空化することで、電流と電子はプラス電流とプラス電子・マイナス電流とマイナス電子が反発し、プラス電流とマイナス電子・マイナス電流とプラス電子が引き合い、磁性流体特有の液体という特徴を活かし、電流と電子の移動ルートが形成され電流と電子が衝突せずトンネル効果のような現象が発生する可能性がある。このケーブルを本発明などの機器に使用することで省エネ効果が発生する。【００３４】図９は、請求項４に適用した電子文字・電子図形・電子映像・電子音をアイコン化して、ホームページをコンパクトにバナー化して表示・記憶し、電子画面に表示される表示例を示す図である。本発明に適用したバナーを表示する最善の方法として、＜ＴＩＴＬＥ＞＜／ＴＩＴＬＥ＞内の電子文字を１８−１のように表示、＜ＢＯＤＹ  ＢＧＣＯＬＯＲ＝＞内のバックグラウンドカラーをバナーのバックグラウンドカラーとして１８−２のように表示、アイコン１８−３には、ソース内の＜ＥＭＢＥＤ＞ＭＰＥＧ、ＡＶＩ、ＱｕｉｃｋＴｉｍｅ、Ｒｅａｌ  Ｖｉｄｅｏなどの動画形式を認識すると動画を縮小し３−１のように表示、＜ＩＭＧ＞ＰＮＧ、ＪＰＥＧ、ＧＩＦなどの画像形式を認識すると画像を縮小し３−３のように表示、＜ＢＧＳＯＵＮＤ＞ＷＡＶ，ＡＩＦＦ，Ｒｅａｌ  Ａｕｄｉｏなどのサウンド形式を認識すると３−２のように音符マークを表示、上記形式を認識できない場合は、＜ＴＩＴＬＥ＞＜／ＴＩＴＬＥ＞内の電子文字を３−４のように表示する。なお、優先順位は動画、画像、サウンド、文字の順番である。【００３５】図９のＴ１００００８は、本発明の検索からアクセスした数の合計、○１０％は本発明のプログラムからサイトを優良とアクセス者が投票した確立、×６０％は本発明のプログラムからサイトを有害とアクセス者が投票した確立である。【００３６】図１０は、請求項６に適用したテレビ画面に表示される表示例を示す図である。アクセス者が優良と認識した際は「推薦します」をクリック、有害と認識した際は「推薦できません」をクリック、投票しない場合は「投票しない」をクリック、キャンセルする場合は「キャンセル」をクリックする。合計クリック数と「推薦します」を○「推薦できません」を×「投票しない」「キャンセル」を無投票として計算し、図９に反映される。クリック数が１００「推薦します」が１０「推薦できません」が６０「投票しない」が３０［キャンセル」が１０の場合は、Ｔ１００  ○１０  ×６０と表示され、図１０はアクセス者がページを切り替えたり閉じ��りする時に表示される。【００３７】図１１は、本発明の請求項２の構成で行われる情報処理について説明するフローチャートであり、請求項１によって得られたデータを元に、情報処理装置が位置検出（ステップＳ１０）・形式情報復元（ステップＳ１１）すると、動画などのコンテンツのデータを縮小してサイドに表示？（ステップＳ１２：Ｙｅｓ）、を経由し、形式情報決定（ステップＳ１３）・データ復元（ステップＳ１４）・出力（ステップＳ１５）によりデータが読み出され、視聴者・閲覧者のデジタルテレビ、カーナビ、コンピュータなどの画面に請求項１によって得られたデータを元にした最適な情報が表示される。【００３８】図１２は、本発明の請求項３の構成で行われる情報処理について説明するフローチャートであり、請求項１によって得られたデータを元に、請求項２と請求項４と請求項６において情報処理装置がデータ取得（ステップＳ８０）すると、マウスポインタ・キーボードポインタを上・下・左・右に移動させますか？（ステップＳ８１：Ｙｅｓ）、を経由し、データ送信（ステップＳ８２）が行われマウスポインタ・キーボードポインタを最適な位置に移動させ請求項２と請求項４と請求項６で表示されるコンテンツを操作する。【００３９】図１３は、本発明の請求項３で表示されるメッセージの流れを示したブロック図である。請求項３のプレスレット型のマウスを装着し、操作スイッチ１５を押すと「ブレスマウス確認８−１」が表示され「手首を上下に動かしてください８−２」の表示後に手首を２０１のように動かし、認識され記憶されると、「手首を左右に回転させてください８−３」というメッセージが表示され、手首を左右に回転させ、認識され記憶されると、「右クリックする指を動かしてください８−４」というメッセージが表示され、指を２００のように動かし、認識され記憶されると、「左クリックする指を動かしてください８−５」というメッセージが表示され、指を２００のように動かし、認識され記憶されると、「ブレスマウス認識８−６」というメッセージが表示され、マウスポインタ・キーボードポインタを操作する仕組みを示した図である。【００４０】図１４は、本発明の請求項３で表示されるメッセージの流れを示したブロック図である。請求項３のリモコン２０の圧力センサー２１に指を置くと、「握力により年齢照合いたします。指紋センサースイッチに親指を乗せ強く握ってください１−０」というメッセージが表示され、圧力が規定に達すると「照合いたしましたサイトにお繋ぎします１−１」というメッセージが表示されサイトにアクセスできる。圧力が規定に達していないと「照合できません、もう一度スイッチを強く握ってください１−３」というメッセージが表示され、圧力が規定に達すると「照合いたしましたサイトにお繋ぎします１−１」というメッセージが表示されるが、再度されないと「照合できませんのでサイトにお繋ぎできません１−２」というメッセージが表示されサイトにアクセスできない仕組みを示した図である。【００４１】図１５は、本発明の請求項３・図１４の構成で行われる情報処理について説明するフローチャートであり、請求項１によって得られたデータを元に、情報処理装置がデータ取得（ス��ップＳ９０）すると、指紋の圧力は規定に達していますか？（ステップＳ９１：Ｙｅｓ）、を経由し、データ送信（ステップＳ９２）が行われサイトへのアクセスする。【００４２】図１６は、本発明の請求項６の構成で行われる情報処理について説明するフローチャートであり、請求項１によって得られたデータを元に、請求項４において情報処理装置が検索データ取得（ステップＳ１００）すると、バナーに表示させるため、コンテンツのアイコンデータ取得（ステップＳ１０１）・アクセスデータ取得（ステップＳ１０２）・お勧めデータ取得（ステップＳ１０３）・拒否データ取得（ステップＳ１０４）により、データフレーム作成（ステップＳ１０５：Ｙｅｓ）、を経由し、データ送信（ステップＳ１０６）され、図９に最適な情報が表示される。【００４３】図１７は、本発明の請求項４の構成で行われる情報処理について説明するフローチャートであり、請求項１によって得られたデータを元に情報処理装置がＴＩＴＬＥデータ取得（ステップＳ８００）・ＢＯＤＹ  ＢＧＣＯＬＯＲデータ取得（ステップＳ８０１）すると、バナーにコンテンツをアイコン化して表示するため、優先順位１位の動画形式認識（ステップＳ８０２：Ｙｅｓ）優先順位２位の画像形式認識（ステップＳ８０３：Ｙｅｓ）優先順位３位のサウンド形式認識（ステップＳ８０４：Ｙｅｓ）優先順位４位のＴＩＴＬＥ認識（ステップＳ８０５：Ｙｅｓ）を経由し、データ送信（ステップＳ８０６）され、図７に最適な情報が表示される。なお、優先順位４位のＴＩＴＬＥ認識（ステップＳ８０５：Ｎｏ）の場合は安全のため表示されない。【００４４】図１８は、請求項５に適用した磁性流体ケーブルの図である。請求項５を電源ケーブルとして機器に繋ぐため「接続部６−３」を形成する必要があり、下記に記す。「接続部６−３」の作成方法は、磁性流体のベース液である、水・イソパラフィン・アルキルナフタレン、パーフルオロポリエーテル・ポリビニルアルコールなどに６−１と６−２の帯電量・率が比例した導体・金属製の物質を混ぜ合わせ融解し、チューブ状の容器に流し込み、融解した状態で電気を流し、電気を流し続けた状態で、冷やして凝固する。これにより、電流と電子はプラス電流とプラス電子・マイナス電流とマイナス電子が反発し、プラス電流とマイナス電子・マイナス電流とプラス電子が引き合い、最適な電流と電子の移動ルートが形成され電流と電子が衝突せずトンネル効果のような現象が発生する最適な状態で凝固するため「接続部６−３」を作成できる。【００４５】図１９は、請求項３の電子キーボードとキーボードポインタをテレビ画面に表示させ電子文字を入力する際の表示例を示す図である。請求項１によって得られたデータを元に、請求項３の「ブレスマウス図４」を両手に図６のようにして装着させ、図１２の請求項３の構成で行われる情報処理について説明するフローチャートのように、請求項１によって得られたデータを元に、請求項２と請求項４と請求項６において情報処理装置がデータ取得（ステップＳ８０）すると、マウスポインタ・キーボードポインタを上・下・左・右に移動させますか？（ステップＳ８１：Ｙｅｓ）、を経由し、データ送信（ステップＳ８２）が行われキーボードポインタを最適な位置に移動させ表示し、図１３の請求項３で表示されるメッセージの流れを示したブロック図と同じように、請求項３のブレスレット型のマウスを装着し、操作スイッチ１５を押すと「ブレスマウス確認８−１」が表示され「手首を上下に動かしてください８−２」の表示後に手首を２０１のように動かし、認識され記憶されると、「手首を左右に回転させてください８−３」というメッセージが表示され、手首を左右に回転させ、認識され記憶されると、「右クリックする指を動かしてください８−４」の段階で「右手の親指を動かしてください」というメッセージが表示され、指を２００のようにを動かし、認識され記憶されると、「右手の人差し指を動かしてください」というメッセージが表示され、指を２００のようにを動かし、認識され記憶されると、「右手の中指を動かしてください」というメッセージが表示され、指を２００のようにを動かし、認識され記憶されると、「右手の薬指を動かしてください」というメッセージが表示され、指を２００のようにを動かし、認識され記憶されると、「右手の小指を動かしてください」というメッセージが表示され、指を２００のようにを動かし、認識され記憶されると、「左クリックする指を動かしてください８−５」の段階で「左手の親指を動かしてください」というメッセージが表示され、指を２００のようにを動かし、認識され記憶されると、「左手の人差し指を動かしてください」というメッセージが表示され、指を２００のようにを動かし、認識され記憶されると、「左手の中指を動かしてください」というメッセージが表示され、指を２００のようにを動かし、認識され記憶されると、「左手の薬指を動かしてください」というメッセージが表示され、指を２００のようにを動かし、認識され記憶されると、「左手の小指を動かしてください」というメッセージが表示され、指を２００のようにを動かし、認識され記憶されると、「ブレスマウス認識８−６」というメッセージが表示され、キーボードポインタを操作し、請求項４を元にアクセスなどして電子文字を入力する。
【産業上の利用可能性】
【００４６】本発明は、テレビによるインターネットの使用を普及させ、テレビ特有の大画面をフル活用した情報処理装置により世界標準になり、マウスやキーボードを使う事なくマウスポインタを操作・電子文字を入力できる。また独自のバナー検索でアクセス数と優良・有害の数値を確認でき、指紋の圧力で年齢を照合するため有害サイトからユーザー・子供を守る事が可能になる。更に独自の電線ケーブルにより省エネルギーで電気機器を利用でき地球温暖化に貢献できる。
【図面の簡単な説明】
【００４７】
【図１】本発明を適用した通信・放送システムの構成を示す図である。
【図２】本発明の請求項２のテレビ・電子画面に表示される表示例を示す図である。
【図３】本発明の請求項３に適用した各センサーを内蔵したリモコンの図である。
【図４】本発明の請求項３のブレスレット型マウスの図である。
【図５】本発明の請求項３の構成で行われる指紋センサーが記憶する指紋の図である。
【図６】本発明の請求項３のブレスレット型マウスの使用例を示す図である。
【図７】本発明の請求項４のテレビ画面に表示される表示例を示す図である。
【図８】本発明の請求項５の磁性流体ケーブルの断面である。
【図９】本発明の請求項６のテレビ画面に表示されるバナーの表示例を示す図である
【図１０】本発明の請求項６のテレビ画面に表示される確認画面の表示例を示す図である
【図１１】請求項２の構成で行われる情報処理について説明するフローチャートである。
【図１２】請求項３の構成で行われる情報処理について説明するフローチャートである。
【図１３】請求項３の装置を操作する際、画面に表示される流れのブロック図である。
【図１４】請求項３の装置を操作する際、画面に表示される流れのブロック図である。
【図１５】請求項３の構成で行われる情報処理について説明するフローチャートである。
【図１６】請求項６の構成で行われる情報処理について説明するフローチャートである。
【図１７】請求項４の構成で行われる情報処理について説明するフローチャートである。
【図１８】請求項５の磁性流体ケーブルの図である。
【図１９】請求項３のキーボードポインタをテレビ画面に表示する表示例を示す図である。
【符号の説明】
１  Ｗａｂサイト
２  携帯電話の基地局
３  携帯電話・モバイルの通信機器を内蔵したデジタルテレビ
４  デジタルテレビに内蔵された携帯電話の通信機器・アンテナ
２０  指紋センサー・圧力センサーとマウスポインタ操作スイッチを内蔵したリモコン
２１  指紋センサー・圧力センサー
２２  マウスポインタを上に動かすスイッチ
２３  右クリックするスイッチ
２４  マウスポインタを右に動かすスイッチ
２５  マウスポインタを下に動かすスイッチ
２６  左クリックするスイッチ
２７  マウスポインタを左に動かすスイッチ
１０  赤外線センサー
１１  ジャイロセンサー
１２  振動センサー
１３  ボタン電池
１４  情報処理チップ
１５  操作スイッチ
１６  赤外線・電波送信装置
３０  手の甲
３１  赤外線レーザー
３２  手首の腱
５００  入力する文字を表示するウインドー
５０１  画面に表示される電子キーボード
５０３  キーボードポインタ
【図１】
2009130924.tif 000003
【図２】
2009130924.tif 000004
【図３】
2009130924.tif 000005
【図４】
2009130924.tif 000006
【図５】
2009130924.tif 000007
【図６】
2009130924.tif 000008
【図７】
2009130924.tif 000009
【図８】
2009130924.tif 000010
【図９】
2009130924.tif 000011
【図１０】
2009130924.tif 000012
【図１１】
2009130924.tif 000013
【図１２】
2009130924.tif 000014
【図１３】
2009130924.tif 000015
【図１４】
2009130924.tif 000016
【図１５】
2009130924.tif 000017
【図１６】
2009130924.tif 000018
【図１７】
2009130924.tif 000019
【図１８】
2009130924.tif 000020
【図１９】
2009130924.tif 000021